(57)【要約】    【課題】  光学部材に対する電子デバイスの相対位置を正確に維持することができる一眼レフカメラおよび光学装置を提供する。    【解決手段】  ＣＣＤユニット１４０に接続されたＣＣＤ用ＦＰＣ１５０は、前方に位置するペンタプリズム１０１の稜線１０１ｃを避けるように分岐した左右２カ所から前方へ向かって、ＣＣＤユニット１４０と略平行に延在させている。これにより、ＣＣＤ用ＦＰＣ１５０をＣＣＤユニット１４０の近傍で折り曲げる必要がなくなるので、ＣＣＤユニット１４０に余計な力が加わることがない。左側信号ライン１５１は、ペンタプリズム１０１の左側の稜線１０１ｄの近傍でペンタプリズム１０１の前面を右側へ向かって曲げられている。左側信号ライン１５１および右側信号ライン１５２がカメラボディ１の右側へ向かった先端部分は、合流して１つの信号ラインとなり、メインＦＰＣ１２１にコネクタを介して接続される。【選択図】      図３
2006053208.tif 000002
【特許請求の範囲】
【請求項１】
入射する被写体光を接眼レンズに導くファインダー光学系を構成し、頂部に稜線を有する光学部材と、
前記稜線の延長線近傍に設けられ、前記接眼レンズに導かれる被写体光の一部を利用する電子デバイスと、
前記光学部材に対する前記電子デバイスの設置位置を調整する調整手段と、
前記電子デバイスを他の電子デバイスと接続して電気信号を伝達する回路基板とを備え、
少なくとも前記回路基板の前記稜線近傍に配設される部分は、前記稜線との干渉を防止するように２つに分岐していることを特徴とする一眼レフカメラ。
【請求項２】
入射する被写体光を接眼レンズに導くファインダー光学系を構成し、頂部に稜線を有する光学部材と、
前記稜線の延長線近傍に設けられ、前記接眼レンズに導かれる被写体光の一部を利用する電子デバイスと、
前記光学部材に対する前記電子デバイスの設置位置を調整する調整手段と、
前記電子デバイスを他の電子デバイスと接続して電気信号を伝達する回路基板とを備え、
少なくとも前記回路基板の前記稜線近傍に配設される部分は、前記電子デバイスに近接する前記稜線の端部との干渉を防止するように２つに分岐していることを特徴とする一眼レフカメラ。
【請求項３】
請求項１または請求項２に記載の一眼レフカメラにおいて、
前記回路基板には、前記回路基板の前記稜線近傍に配設されて２つに分岐した部分が再び集合して、少なくとも前記電子デバイスに近接する前記稜線の端部との干渉を防止する開口が形成されていることを特徴とする一眼レフカメラ。
【請求項４】
請求項１〜３のいずれか一項に記載の一眼レフカメラにおいて、
前記電子デバイスは、測光用のＣＣＤ素子であることを特徴とする一眼レフカメラ。
【請求項５】
請求項１〜４のいずれか一項に記載の一眼レフカメラにおいて、
前記回路基板は、フレキシブルプリント基板であることを特徴とする一眼レフカメラ。
【請求項６】
入射光の光軸とは異なる光軸となるように前記入射光を射出する、稜線を有する光学部材と、
前記光学部材から射出される射出光の一部を利用する電子デバイスと、
前記光学部材に対する前記電子デバイスの設置位置を調整する調整手段と、
前記電子デバイスを他の電子デバイスと接続して電気信号を伝達する回路基板とを備え、
少なくとも前記回路基板の前記稜線近傍に配設される部分は、前記電子デバイスに近接する前記稜線の端部との干渉を防止するように２つに分岐していることを特徴とする光学装置。
【発明の詳細な説明】
【技術分野】
【０００１】
本発明は、稜線を有する光学部材の近傍に電子デバイスを配設する一眼レフカメラおよび光学装置に関する。
【背景技術】
【０００２】
稜線を有する光学部材を備える装置として、たとえばファインダー光学系を構成するペンタプリズムを備える一眼レフカメラが知られている。一眼レフカメラでは、組み立て性を向上して組み立て工数の削減を図る等の理由から、ペンタプリズムの頂部稜線を跨ぐように、フレキシブルプリント基板を配設している（特許文献１参照）。
【０００３】
【特許文献１】特開平８−２３４２８９号公報
【発明の開示】
【発明が解決しようとする課題】
【０００４】
一眼レフカメラには、ペンタプリズムから射出される被写体光を利用して測光するＣＣＤユニットが配設されることがある。このＣＣＤユニットは、ＣＣＤユニットに直接接続されたフレキシブルプリント基板を介して、ペンタプリズムの頂部稜線を跨ぐように配設されたメインのフレキシブルプリント基板に接続される。近年、メインのフレキシブルプリント基板がペンタプリズムの斜面に位置する部分にも多くの電子部品が搭載されるようになってきたことから、ＣＣＤユニットに直接接続されたフレキシブルプリント基板がペンタプリズムの上方へ押し上げられてしまい、ＣＣＤユニットを固定位置からずらそうとする力が作用してしまう。そのため、ペンタプリズムに対するＣＣＤユニットの相対位置がずれて、正確な測光ができなくなる恐れがある。
【課題を解決するための手段】
【０００５】
（１）  請求項１の発明による一眼レフカメラは、入射する被写体光を接眼レンズに導くファインダー光学系を構成し、頂部に稜線を有する光学部材と、稜線の延長線近傍に設けられ、接眼レンズに導かれる被写体光の一部を利用する電子デバイスと、光学部材に対する電子デバイスの設置位置を調整する調整手段と、電子デバイスを他の電子デバイスと接続して電気信号を伝達する回路基板とを備え、少なくとも回路基板の稜線近傍に配設される部分は、稜線との干渉を防止するように２つに分岐していることを特徴とする。
（２）  請求項２の発明による一眼レフカメラは、入射する被写体光を接眼レンズに導くファインダー光学系を構成し、頂部に稜線を有する光学部材と、稜線の延長線近傍に設けられ、接眼レンズに導かれる被写体光の一部を利用する電子デバイスと、光学部材に対する電子デバイスの設置位置を調整する調整手段と、電子デバイスを他の電子デバイスと接続して電気信号を伝達する回路基板とを備え、少なくとも回路基板の稜線近傍に配設される部分は、電子デバイスに近接する稜線の端部との干渉を防止するように２つに分岐していることを特徴とする。
（３）  請求項３の発明は、請求項１または請求項２に記載の一眼レフカメラにおいて、回路基板には、回路基板の稜線近傍に配設されて２つに分岐した部分が再び集合して、少なくとも電子デバイスに近接する稜線の端部との干渉を防止する開口が形成されていることを特徴とする。
（４）  請求項４の発明は、請求項１〜３のいずれか一項に記載の一眼レフカメラにおいて、電子デバイスは、測光用のＣＣＤ素子であることを特徴とする。
（５）  請求項５の発明は、請求項１〜４のいずれか一項に記載の一眼レフカメラにおいて、回路基板は、フレキシブルプリント基板であることを特徴とする。
（６）  請求項６の発明による光学装置は、入射光の光軸とは異なる光軸となるように入射光を射出する、稜線を有する光学部材と、光学部材から射出される射出光の一部を利用する電子デバイスと、光学部材に対する電子デバイスの設置位置を調整する調整手段と、電子デバイスを他の電子デバイスと接続して電気信号を伝達する回路基板とを備え、少なくとも回路基板の稜線近傍に配設される部分は、電子デバイスに近接する稜線の端部との干渉を防止するように２つに分岐していることを特徴とする。
【発明の効果】
【０００６】
本発明によれば、光学部材との干渉を防止するように、回路基板が稜線近傍に配設される部分を２つに分岐させた。したがって、光学部材の近傍に電子デバイスを配設しても、電子デバイスの近傍で回路基板を曲げる必要がなくなるので、電子デバイスを固定位置から動かすような力の発生を防止しながら回路基板を配設できる。これにより、光学部材に対する電子デバイスの相対位置を正確に維持することができる。
【発明を実施するための最良の形態】
【０００７】
−−−第１の実施の形態−−−
図１〜５を参照して、本発明による光学装置の第１の実施の形態を説明する。図１は、本発明による一眼レフタイプのカメラ（カメラボディ）１とカメラボディ１に装着する撮影レンズ２を示した斜視図である。カメラボディ１の上部にはレリーズボタン４が設けられ、ファインダー部３の後方にはアクセサリシュー５が設けられている。なお、本実施の形態では、銀塩フィルムを用いるカメラを例に説明するが、銀塩カメラに限らず、ＣＣＤなどの固体撮像素子を用いた電子カメラであってもよい。以下の説明では、カメラの前後左右および上下方向を各図に記載したように規定する。
【０００８】
図２は、カメラボディ１を主要な構成部分に分解した状態でカメラボディ１の斜め後から見た斜視図であり、図３は、図２における前ボディ１００の上部付近の拡大図である。カメラボディ１は、前ボディ１００と後ボディ２００と上カバー３００とを有する。前ボディ１００は、主に前板１０４とＬ基板１０７とＩ基板１０８とから構成される。
【０００９】
前板１０４には、ファインダー光学系のユニットであるペンタプリズム１０１と接眼ブロック１０２とを搭載したプリズムボックス１０３が取り付けられている。ペンタプリズム１０１の頂部の稜線１０１ｃを境に、左側のダハ面を左側ダハ面１０１ａと呼び、右側のダハ面を右側ダハ面１０１ｂと呼ぶ。接眼ブロック１０２の上部には、ＣＣＤユニット１４０が固定されている。ＣＣＤユニット１４０については後に詳述する。
【００１０】
Ｌ基板１０７とＩ基板１０８とから構成される空間には、露光時に回動可能なメインミラー１０９と、メインミラー１０９により分岐した光を自動焦点検出モジュール１１１に導光するためのサブミラー１１０とが設けられている。自動焦点検出モジュール１１１はＬ基板１０７の下部に不図示のビスで固定されている。
【００１１】
メインフレキシブルプリント基板（以下メインＦＰＣと呼ぶ）１２１は、前ボディ１００の上部を右側からペンタプリズム１０１の稜線１０１ｃを跨いで左側ダハ面１０１ａまで配設されている。メインＦＰＣ１２１には、各種信号を処理するＣＰＵ１２３と液晶表示部１２４と液晶ドライバ１２５とその他の各部品（不図示）とが実装されている。メインＦＰＣ１２１の右前方端部の圧接部１２６は、後ボディ２００に搭載されたフレキシブルプリント基板の圧接部（不図示）に固定される。メインＦＰＣ１２１の左端部にはコネクタ端子１２２ａが設けられており、後述するサブフレキシブルプリント基板１１３に設けられたコネクタ端子１２２ｂと接続される。なお、コネクタ端子１２２ａと１２２ｂとによりコネクタ１２２を構成する。
【００１２】
サブフレキシブルプリント基板（以下サブＦＰＣと呼ぶ）１１３は、前ボディ１００の下部から左側面を経由してペンタプリズム１０１の左側ダハ面１０１ａまで配設されている。サブＦＰＣ１１３の上端には、コネクタ端子１２２ｂが設けられている。上述のように、サブＦＰＣ１１３は、コネクタ端子１２２ｂをメインＦＰＣ１２１のコネクタ端子１２２ａと接続することで、メインＦＰＣ１２１と電気的および機械的に接続される。サブＦＰＣ１１３は、サブＦＰＣ１１３の下端に設けられたコネクタ１１４によってフレキシブルプリント基板（以下ＦＰＣと呼ぶ）１１２に接続されており、ＦＰＣ１１２を介して自動焦点検出モジュール１１１に接続されている。
【００１３】
図４は、後ボディ２００と前ボディ１００とを結合した状態で、カメラの左側方から見たカメラボディ１の断面図である。プリズムボックス１０３には、メインミラー１０９からの像が結像するフォーカシングスクリーン１３２と、ファインダー視野の大きさを決定する視野枠１３１とが、ペンタプリズム１０１および接眼ブロック１０２とともに搭載されている。視野枠１３１はペンタプリズム１０１の下部とプリズムボックス１０３との間に固定されている。フォーカシングスクリーン１３２は、プリズムボックス１０３の下面にスクリーン押さえ枠１３３によって固定されている。フォーカシングスクリーン１３２の上面は焦点面１３２ａであり、メインミラー１０９により反射された像が結像する面である。
【００１４】
図２，４に示すように、後ボディ２００には、露光される画面サイズを決定するアパーチャ部材２３６が設けられている。アパーチャ部材２３６にはアパーチャ開口２３６ａが設けられており、このアパーチャ開口２３６ａの直後に撮影フィルム２３５が配置される。
【００１５】
−−−ＣＣＤユニット１４０について−−−
ＣＣＤユニット１４０には、被写体光を受光するＣＣＤ１４１が下面に設けられ、ＣＣＤユニット１４０からの電気信号を伝達するフレキシブルプリント基板（以下ＣＣＤ用ＦＰＣと呼ぶ）１５０が上面に接続されている。フォーカシングスクリーン１３２の焦点面１３２ａに結像された被写体光は、図４に示した光軸１６０のように、ペンタプリズム１０１と、ペンタプリズム１０１の後方に配設されたプリズム１６１およびレンズ１６２を介して、ＣＣＤ１４１に導光される。これにより、被写体光がＣＣＤユニット１４０で測光される。
【００１６】
精度よく測光するためには、ペンタプリズム１０１に対してＣＣＤ１４１を正確に配設する必要がある。すなわちペンタプリズム１０１に対するＣＣＤユニット１４０の相対位置が正確でなくてはならず、その誤差は、１０〜２０μｍ以内が望ましい。そこで、ペンタプリズム１０１に対するＣＣＤユニット１４０の相対位置を調整しながら取り付けるため、ＣＣＤユニット１４０は、以下のようにして、接眼ブロック１０２の上部に取り付けられる。
【００１７】
図４に示すように、接眼ブロック１０２の上部には、取り付け穴１０２ａが設けられている。この取り付け穴１０２ａは左右のそれぞれに前後２箇所ずつ、計４箇所設けられており、図２，３に示すように、取り付け穴１０２ａに螺合されるビス１０５によって、ＣＣＤユニット１４０が、バネ１０６を挟んで接眼ブロック１０２に取り付けられる。すなわち、ＣＣＤユニット１４０は、バネ１０６によって上方に押圧されるとともに、上方への移動がビス１０５によって規制される。これにより、ビス１０５を調整することで、ペンタプリズム１０１に対するＣＣＤユニット１４０の相対位置を正確に設定できる。ペンタプリズム１０１に対するＣＣＤユニット１４０の相対位置を正確に設定した後、ビス１０５は、接着剤などでＣＣＤユニット１４０に固定される。
【００１８】
−−−ＣＣＤ用ＦＰＣ１５０について−−−
ＣＣＤユニット１４０から出力される電気信号に基づいて、メインＦＰＣ１２１に搭載されたＣＰＵ１２３で測光制御を行うため、ＣＣＤユニット１４０に接続されたＣＣＤ用ＦＰＣ１５０をメインＦＰＣ１２１に接続する必要がある。また、ペンタプリズム１０１の後方から射出される被写体光をＣＣＤ１４１で捉えて測光する必要があるため、ＣＣＤユニット１４０は接眼ブロック１０２の近傍に配設する必要ある。そのため、従来の一眼レフカメラでは、従来のＣＣＤ用ＦＰＣがＣＣＤユニット１４０の近傍で上方に折り曲げられて、ペンタプリズム１０１の稜線１０１ａに覆い被さるように配設されている。
【００１９】
しかし、近年、メインＦＰＣ１２１およびサブＦＰＣ１１３が左右のダハ面１０１ａ，１０１ｂに沿って配設される部分にも、多くの電子部品が搭載されるようになってきていることから、従来のＣＣＤ用ＦＰＣをＣＣＤユニット１４０の近傍で、今まで以上に急角度で上方に折り曲げて配設しなければならない。そのため、ＣＣＤ用ＦＰＣの曲げに対する反発力がＣＣＤユニット１４０にも伝達されたり、ＣＣＤ用ＦＰＣの配設位置のずれによってＣＣＤユニット１４０を押し引きするなど、ＣＣＤユニット１４０に余計な力が加わってしまう。上述したように、ペンタプリズム１０１に対するＣＣＤユニット１４０の相対位置は正確でなくてはならないが、従来のＣＣＤ用ＦＰＣから掛かる上述のような余計な力によってその相対位置がずれてしまう恐れがある。
【００２０】
そこで、本実施の形態では、図２〜４に示すように、ＣＣＤユニット１４０に接続されたＣＣＤ用ＦＰＣ１５０は、前方に位置するペンタプリズム１０１の稜線１０１ｃを避けるように分岐した左右２カ所から前方へ向かって、ＣＣＤユニット１４０と略平行に延在させている。これにより、ＣＣＤ用ＦＰＣ１５０をＣＣＤユニット１４０の近傍で折り曲げる必要がなくなるので、ＣＣＤユニット１４０に上述のような余計な力が加わることがない。ＣＣＤ用ＦＰＣ１５０のうち、左側ダハ面１０１ａの上を前方に向かって延在する部分を左側信号ライン１５１と呼び、右側ダハ面１０１ｂの上を前方に向かって延在する部分を右側信号ライン１５２と呼ぶ。
【００２１】
図５は、図４のＶ−Ｖ断面図である。なお、図５には、理解を容易にするために、接眼ブロック１０２およびＣＣＤユニット１４０を２点鎖線で記載している。ＣＣＤ用ＦＰＣ１５０の左側信号ライン１５１および右側信号ライン１５２は、それぞれ左右のダハ面１０１ａ，１０１ｂに沿って配設されたメインＦＰＣ１２１およびサブＦＰＣ１１３と離間して、上カバー３００のファインダー部３の内側の空間を前方に向かって延在している。
【００２２】
図２〜４に示すように、左側信号ライン１５１は、ペンタプリズム１０１の左側の稜線１０１ｄの近傍でペンタプリズム１０１の前面を右側へ向かって曲げられている。また、右側信号ライン１５２は、ペンタプリズム１０１の右側の稜線１０１ｅの手前で右側ダハ面１０１ｂに沿って右側へ向かって曲げられている。左側信号ライン１５１および右側信号ライン１５２がカメラボディ１の右側へ向かった先端部分は、合流して１つの信号ラインとなり、メインＦＰＣ１２１にコネクタを介して接続される（不図示）。すなわち、左側信号ライン１５１および右側信号ライン１５２によって、ペンタプリズム１０１の稜線１０１ｃを迂回するように開口が形成されている。なお、ＣＣＤユニット１４０からメインＦＰＣ１２１へ伝達する情報量が多いため、本実施の形態では、左右の信号ライン１５１，１５２の双方が必要となる。
【００２３】
上述した第１の実施の形態では、次の作用効果を奏する。
（１）  ＣＣＤ用ＦＰＣ１５０とペンタプリズム１０１の稜線１０１ｃとが干渉しないように、ＣＣＤ用ＦＰＣ１５０が稜線１０１ｃの近傍に配設される部分を２つに分岐させた。したがって、ペンタプリズム１０１の後方近傍にＣＣＤユニット１４０を配設しても、ＣＣＤユニット１４０の近傍でＣＣＤ用ＦＰＣ１５０を曲げる必要がなくなるので、ＣＣＤユニット１４０を固定位置から動かすような力の発生を防止して、ＣＣＤ用ＦＰＣ１５０を配設できる。これにより、ペンタプリズム１０１に対するＣＣＤユニット１４０の相対位置を正確に維持できるので、ＣＣＤユニット１４０による測光精度の劣化を防止できる。また、ＣＣＤユニット１４０をペンタプリズム１０１に近づけて配設できるので、カメラボディ１のコンパクト化に寄与する。
【００２４】
（２）  ＣＣＤ用ＦＰＣ１５０の左側信号ライン１５１、および右側信号ライン１５２が、それぞれ左右のダハ面１０１ａ，１０１ｂに沿って配設されたメインＦＰＣ１２１およびサブＦＰＣ１１３と離間して、ファインダー部３の内側の空間を前方に向かって延在するよう構成した。これにより、左右のダハ面１０１ａ，１０１ｂに沿って配設されたメインＦＰＣ１２１およびサブＦＰＣ１１３に搭載された電子部品との干渉を防止するとともに、カメラボディ１の高さを高くすることなく左側信号ライン１５１、および右側信号ライン１５２を配設できるので、上カバー３００のファインダー部３や各ＦＰＣ１２１，１１３などの設計変更が不要であり、低コストである。
【００２５】
（３）  ＣＣＤユニット１４０の近傍でＣＣＤ用ＦＰＣ１５０を曲げる必要がなくなるので、ＣＣＤ用ＦＰＣ１５０の曲げに対する反発力などがほとんど発生しない。したがって、ペンタプリズム１０１に対するＣＣＤユニット１４０の相対位置をビス１０５で調節しながらＣＣＤユニット１４０を接眼ブロック１０２へ取り付ける際に、ＣＣＤユニット１４０に余計な外力が加わることがない。これにより、ＣＤユニット１４０の取付および調節作業が容易となるので、接眼ブロック１０２への取付精度が向上するとともに調整時間を短縮できるので、測光精度が向上するとともに組み立てコストを低減できる。
【００２６】
なお、上述の構成により、ＣＣＤユニット１４０は、ペンタプリズム１０１に対する相対位置だけではなく、カメラボディ１の各部に対する相対位置が正確に維持されることになる。
【００２７】
−−−第２の実施の形態−−−
図６を参照して、本発明による光学装置の第２の実施の形態を説明する。以下の説明では、第１の実施の形態と同じ構成要素には同じ符号を付して相違点を主に説明する。第２の実施の形態のカメラボディ１の構成は、ＣＣＤユニット１４０に接続されたフレキシブルプリント基板（以下、ＣＣＤ用ＦＰＣと呼ぶ）２５０を除き、第１の実施の形態と同じである。
【００２８】
図６は、第２の実施の形態のカメラボディ１の内部を斜め左後方から見たときの前ボディ１００の上部付近の拡大図である。ＣＣＤユニット１４０に接続されたＣＣＤ用ＦＰＣ２５０は、ペンタプリズム１０１の後方端面近傍に配設される前面周端部２５１と、左側信号ライン２５２と、右側信号ライン２５３と、前方信号ライン２５４とを有する。
【００２９】
左側信号ライン２５２および右側信号ライン２５３は、前方に位置するペンタプリズム１０１の稜線１０１ｃの後方端部１０１ｆを避けるように前面周端部２５１から分岐して左右２カ所から前方へ向かって、ＣＣＤユニット１４０と略平行に延在する。前方信号ライン２５４は、その左側端部が左側信号ライン２５２の前方端部と接続され、稜線１０１ｃを跨いで左右方向に延在している。前方信号ライン２５４の右側端部は、右側ダハ面１０１ｂの上面で右側信号ライン２５３と合流して１つの信号ラインとなり、メインＦＰＣ１２１にコネクタを介して接続される（不図示）。
【００３０】
すなわち、ＣＣＤ用ＦＰＣ２５０は、前面周端部２５１と、左側信号ライン２５２と、右側信号ライン２５３と、前方信号ライン２５４とによって、ペンタプリズム１０１の稜線１０１ｃの後方端部１０１ｆを避けるように形成された開口部２５５を有する。ＣＣＤ用ＦＰＣ２５０をペンタプリズム１０１の上方へ配設する際には、左右のダハ面１０１ａ，１０１ｂに沿うように前方信号ライン２５４の略中央付近が折り曲げられる。ＣＣＤ用ＦＰＣ２５０がペンタプリズム１０１の上方へ配設されると、ペンタプリズム１０１の稜線１０１ｃの後方端部１０１ｆは、開口部２５５から突出した状態となる。
【００３１】
このように構成されたＣＣＤ用ＦＰＣ２５０を用いることで、第１の実施の形態のＣＣＤ用ＦＰＣ１５０と同様に、ＣＣＤ用ＦＰＣ２５０をＣＣＤユニット１４０の近傍で折り曲げる必要がなくなるので、ＣＣＤユニット１４０に余計な力が加わることがない。そして、第１の実施の形態の作用効果と同様の作用効果を奏する。
【００３２】
さらに、第２の実施の形態では、第１の実施の形態の作用効果に加えて、次の作用効果を奏する。
（１）  ＣＣＤユニット１４０と略平行に延在する左側信号ライン２５２および右側信号ライン２５３と、稜線１０１ｃを跨いで左右方向に延在する前方信号ライン２５４とを備えるようにＣＣＤ用ＦＰＣ２５０は構成されている。これにより、ＣＣＤユニット１４０を固定位置から動かすような力の発生を防止しつつ、ＣＣＤ用ＦＰＣ２５０の全体の長さを短くできるので、組み立て性が向上する。
【００３３】
−−−変形例−−−
（１）  上述の説明では、ペンタプリズム１０１を有するカメラボディ１について説明したが、本発明はこれに限定されない。たとえば、ペンタプリズム１０１の代わりに、いわゆるミラーペンタプリズムを用いてもよい。
【００３４】
（２）  上述の説明では、ペンタプリズム１０１の後方近傍に配設した電子デバイスはＣＣＤユニット１４０であったが、本発明はこれに限定されない。ＣＣＤ以外にも、たとえばＣＭＯＳセンサなど、光を電気信号に変換する電子デバイスであってもよい。また、電子デバイスが、ペンタプリズムから射出される光を利用するものでなくてもよい。たとえば、ペンタプリズムの近傍に設置する必要がある電子デバイスであって、その電子デバイスに接続されるフレキシブルプリント基板などの信号線をペンタプリズム近傍に配設する必要があるものであれば、本発明を適用することで、上述のように、設置する対象物に対する電子デバイスの設置位置を正確に維持することができる。
【００３５】
（３）  上述の説明では、本発明による光学装置の例として一眼レフカメラについて説明をしたが、本発明はこれに限定されない。たとえば、プリズムを有する双眼鏡やフィールドスコープなど、稜線を有し、入射光の光軸とは異なる光軸となるように入射光を射出する光学部材を備えた光学装置で、光学部材の近傍に電子デバイスを配設する必要がある場合などに本発明を適用できる。
（４）  上述した各実施の形態および変形例は、それぞれ組み合わせてもよい。
【００３６】
以上の実施の形態およびその変形例において、たとえば、光学部材はペンタプリズム１０１に、電子デバイスはＣＣＤユニット１４０に、回路基板はフレキシブルプリント基板（ＣＣＤ用ＦＰＣ）１５０，２５０にそれぞれ対応する。調整手段はビス１０５とバネ１０６とによって実現される。さらに、本発明の特徴的な機能を損なわない限り、本発明は、上述した実施の形態における機器構成に何ら限定されない。
【図面の簡単な説明】
【００３７】
【図１】本発明による一眼レフタイプのカメラ（カメラボディ）１とカメラボディ１に装着する撮影レンズ２を示した斜視図である。
【図２】カメラボディ１を主要な構成部分に分解した状態でカメラボディ１の斜め後から見た斜視図である。
【図３】図２における前ボディ１００の上部付近の拡大図である。
【図４】後ボディ２００と前ボディ１００とを結合した状態で、カメラの左側方から見たカメラボディ１の断面図である。
【図５】図４のＶ−Ｖ断面図である。
【図６】第２の実施の形態のカメラボディ１の内部を斜め左後方から見たときの前ボディ１００の上部付近の拡大図である。
【符号の説明】
【００３８】
１  カメラ（カメラボディ）                      ２  撮影レンズ
３  ファインダー部                              １００  前ボディ
１０１  ペンタプリズム                          １０１ａ  左側ダハ面
１０１ｂ  右側ダハ面                            １０１ｃ  稜線
１０１ｆ  後方端部                              １０２  接眼ブロック
１０５  ビス                                    １０６  バネ
１１３  サブフレキシブルプリント基板（サブＦＰＣ）
１２１  メインフレキシブルプリント基板（メインＦＰＣ）
１４０  ＣＣＤユニット                          １４１  ＣＣＤ
１５０，２５０  フレキシブルプリント基板（ＣＣＤ用ＦＰＣ）
１５１，２５２  左側信号ライン                  １５２，２５３  右側信号ライン
２００  後ボディ                                ２５１  前面周端部
２５４  前方信号ライン                          ２５５  開口部
３００  上カバー
【図１】
2006053208.tif 000003
【図２】
2006053208.tif 000004
【図３】
2006053208.tif 000005
【図４】
2006053208.tif 000006
【図５】
2006053208.tif 000007
【図６】
2006053208.tif 000008